(57)【要約】【課題】  準備に手間が掛からず、一人で簡単にジェルネイルを除去できるようにすること。【解決手段】  このジェルネイル除去シート１００は、基材シート１の上面に接着層２を介して不織布３を積層し、不織布３にゲル状アセトンを滲みこませた構成である。不織布３には離型紙４が被せられる。使用時には、前記離型紙４を片方の手の指でつまむと共にもう一方の手の指でシートピース１００ａを持って前記離型紙４から剥がす。そして、ゲル状のアセトンが滲みこまれた不織布３の表面部分を、ジェルネイルが施された爪６に載せる。不織布３の表面はゲルによる粘着性があるため、当該シートピース１００ａは、ジェルネイルが施された爪６の上でそのまま保持される。この保持状態で適当な時間放置することで、アセトンがジェルネイルに浸透する。最後に、シートピース１００ａを爪上から剥離し、ネイルスティック等を用い自爪の表面から溶解されたジェルネイルをこそぎ取る。【選択図】  図６
2014200468.tif 000002
【特許請求の範囲】
【請求項１】
アセトンが浸透しない素材からなる基材シートと、
当該基材シートに対して積層され且つゲル化したアセトンを滲みこませた不織布と、
当該不織布に被せた剥離層と、
を備えたことを特徴とするジェルネイル除去シート。
【請求項２】
前記不織布は、ジェルネイルに対応した寸法及び形状に切断されたシートピースから構成されることを特徴とする請求項１に記載のジェルネイル除去シート。
【請求項３】
表面に粘着層が設けられたテープと、
当該テープ上に配置され且つ内部にアセトンが入れられたアセトン入り袋と、
アセトン入り袋を覆うように設けた平面状のコットンと、
を備えたことを特徴とするジェルネイル除去シート。
【発明の詳細な説明】
【技術分野】
【０００１】
本発明は、ジェルネイルを除去するジェルネイル除去シートに関するものである。
【背景技術】
【０００２】
昨今、ラッカーエナメル（ラッカー系樹脂途料）に代わり、ジェルネイルを用いる機会が増えている。ジェルネイルは、ジェル状のネイルコートを爪に重ね塗り、ＵＶ（紫外線）照射によって樹脂硬化させるものである。ジェルネイルは、ラッカーエナメルに比べネイルの表面の硬化度が高いため、表面が傷つきにくく、また自爪の保護の役割も果たす点に特徴がある。
【０００３】
一般にラッカーエナメルの除去は、コットン又はティッシュに除去液を含ませ、爪上のラッカーエナメルをふき取ることによって行われる。これに対し、ジェルネイルの場合、合成樹脂が硬化しているため、ラッカーエナメルのように除去液を含ませたものでふき取る程度では、全く除去することはできない。
【０００４】
このため、ジェルネイルの除去は、次のような手順で行われる。まず、除去液、コットン及びアルミホイルを用意する。次に、除去液をジェルネイル内部に浸透させやすいようにジェルネイルの表面に傷をつける。そして、除去液を含ませたコットンやティッシュ等を爪の上においてアルミホイルを指に巻きつけてこれを保持し、しばらく放置する。そして、除去液によってジェルネイルの樹脂が軟化したところを、ネイルスティック等を用い自爪の表面からこそぎ取る。
【先行技術文献】
【特許文献】
【０００５】
【特許文献１】特開平２０１２―２３９８６９号公報
【発明の概要】
【発明が解決しようとする課題】
【０００６】
しかしながら、上記従来のジェルネイルの除去方法では、ジェルネイルを溶かす除去液、除去液を染み込ませるコットン及びそのコットンを指に巻きつけ保持するためのアルミホイルの３点を個々に準備すると共に、コットン及びアルミホイルを予め適当な大きさにカットしておく必要があるため、準備に相当な手間がかかるという問題点があった。また、自宅などで一人でジェルネイルを除去するにあたり、片手でもう片方の手にアルミホイルを巻くのが難しいという問題点があった。
【０００７】
このような課題に対して特許文献１にかかるジェルネイルオフ具が提案されている。しかしながら、この特許文献１にかかるジェルネイルオフ具では、別途アセトンを準備しなければならず、更に、アセトンを含ませたコットン等の除光液浸潤部材が爪の上に保持されるように片手で指にシート本体を巻きつけなければならない。このため、上記同様に、準備に手間がかかると共に作業が難しいという問題が依然残る。この発明は、上記課題を解決するためになされたものである。
【課題を解決するための手段】
【０００８】
この発明に係るジェルネイル除去シートは、アセトンが浸透しない素材からなる基材シートと、当該基材シートに対して積層され且つゲル化したアセトンを滲みこませた不織布と、当該不織布に被せた剥離層と、を備えたことを特徴とする。
【０００９】
更に、前記不織布は、ジェルネイルに対応した寸法及び形状に切断されたシートピースから構成されることを特徴とする。
【００１０】
この発明に係るジェルネイル除去シートは、表面に粘着層が設けられたテープと、当該テープ上に配置され且つ内部にアセトンが入れられたアセトン入り袋と、アセトン入り袋を覆うように設けた平面状のコットンとを備えたことを特徴とする。
【図面の簡単な説明】
【００１１】
【図１】この発明の実施の形態１にかかるジェルネイル除去シートの構造を示す断面図である。
【図２】図１のジェルネイル除去シートの離型紙を剥離した状態を表す断面図である。
【図３】図１に示したジェルネイル除去シートの製造方法における第一手順を示す説明図である。
【図４】図１に示したジェルネイル除去シートの製造方法における第二手順を示す説明図である。
【図５】図１に示したジェルネイル除去シートの製造方法における第三手順を示す説明図である。
【図６】図１に示したジェルネイル除去シートを示す斜視図である。
【図７】ジェルネイル除去シートの使用方法を示す説明図である。
【図８】この発明の実施の形態２にかかるジェルネイル除去シートの構造を示す断面図である。
【図９】図８に示したジェルネイル除去シートの平面図である。
【図１０】この発明の実施の形態３にかかるジェルネイル除去シートの構造を示す説明図である。
【図１１】図１０に示したジェルネイル除去シートの使用方法を示す説明図である。
【図１２】図１０に示したジェルネイル除去シートの他の形態を示す説明図である。
【図１３】この発明の実施の形態４にかかるジェルネイル除去シートの構造を示す斜視図である。
【図１４】図１３に示したジェルネイル除去シートの製造手順を示す説明図である。
【図１５】図１３に示したジェルネイル除去シートの保持方法の一形態を示す正面図である。
【図１６】図１３に示したジェルネイル除去シートの保持方法の他の形態を示す正面図である。
【図１７】この発明の実施の形態５にかかるジェルネイル除去シートを示す斜視図である。
【発明を実施するための形態】
【００１２】
（実施の形態１）
図１は、この発明の実施の形態１にかかるジェルネイル除去シートの構造を示す断面図である。図２は、図１のジェルネイル除去シートの離型紙を剥離した状態を表す断面図である。このジェルネイル除去シート１００は、ゲル状のアセトンが浸透しない素材からなる基材シート１と、基材シート１の上面に配置した接着層２と、接着層２を介して前記基材シート１に積層した不織布３と、不織布３に滲みこませたゲル状アセトンと、不織布３に積層したアセトンの揮発を防止するための透明樹脂からなる離型紙４とから構成される。
【００１３】
前記基材シート１は、ゲル状アセトンの蒸発を防止するため、当該ゲル状アセトンに接触する前記不織布３を接着する面は、防水機能を持ったものとする。アセトンのゲル化は、粉末や増粘剤を用いる方法により行う。例えば、微細セルロース水性分散物やカルボキシビニルポリマーによりゲル化する方法、シリカや有機変性粘土鉱物によりゲル化する方法によるものとする。なお、アセトンのゲル化は、これらの方法に限定されるものではない。
【００１４】
図３は、図１に示したジェルネイル除去シートの製造方法における第一手順を示す説明図であり、（ａ）は断面図、（ｂ）は平面図を示す。図４は、図１に示したジェルネイル除去シートの製造方法における第二手順を示す説明図であり、（ａ）は断面図、（ｂ）は平面図を示す。図５は、図１に示したジェルネイル除去シートの製造方法における第三手順を示す説明図であり、（ａ）は断面図、（ｂ）は平面図を示す。
【００１５】
まず、図３に示すように、基材シート１の上面に接着層２を介して不織布３を配置し、基材シート１と不織布３を接着させる。次に、図４に示すように、シートの面に対して、垂直方向（図中矢印方向）に完全切断し、５分割されたシートピース１００ａとする。シートピース１００ａは、ジェルネイルに対応した寸法及び形状とする。次に、切断された不織布３にゲル状のアセトンを滲みこませる。最後に、図５に示すように、含浸させたゲル状のアセトンが揮発するのを防止するため、当該不織布３の上面に前記離型紙４を被せる。この状態で、ゲル化アセトンが基材シート１と離型紙４により挟まれて保持されるので、取扱時にアセトンが手に付着しない。
【００１６】
また、基材シート１及び不織布３の切断は、次の形態でも良い。即ち、基材シート１には、５分割可能なように４つのミシン目が設けられる。上面の不織布３は、完全に切断する。仮に不織布３にミシン目を設けると繊維が絡んで分離し難く且つ強く摘んで引っ張る必要があるため含浸させたアセトンがしみ出る可能性があるためである。このように、不織布３のみを完全切断し、基材シート１にミシン目を設けることで、全体を一体に保持しつつ且つ分離可能にできる。
【００１７】
図６は、図１に示したジェルネイル除去シートを示す斜視図である。図７は、ジェルネイル除去シートの使用方法を示す説明図である。ジェルネイルを除去するにあたり、まずジェルネイル除去シート１００の上部を覆う透明樹脂の離型紙４を片方の手の指でつまむ。次に、もう一方の手の指で、ジェルネイル除去シート１００の分離されたシートピース１００ａを持って前記離型紙４から剥がす。なお、基材シート１を設けた側ではアセトンが漏れ出ないので指に付着することはない。
【００１８】
そして、当該剥がしたシートピース１００ａを上下反転させ、ゲル状のアセトンが滲みこまれた不織布３の表面部分を、ジェルネイルが施された爪６に載せる。不織布３の表面はゲルによる粘着性があるため、当該シートピース１００ａは、ジェルネイルが施された爪６の上でそのまま保持される。この保持状態で適当な時間放置することで、アセトンがジェルネイルに浸透する。最後に、シートピース１００ａを爪上から剥離し、ネイルスティック等を用い自爪の表面から溶解されたジェルネイルをこそぎ取る。
【００１９】
以上、この発明に係るジェルネイル除去シート１００によれば、爪の上にシートピースをゲルで粘着するだけでジェルネイルを除去できるので、片手でも簡単に作業ができる。また、既に不織布３にアセトンが滲みこんでおり、離型紙４から剥がすだけで使えるため、ジェルネイルの除去の準備に手間がかからない。なお、上記基材シート１は、熱を発する成分が含まれるものとしても良い。また、基材シート１には、自らの体温を反射して蓄熱することができる素材を用いても良い。例えば、基材シート１と不織布３との間に、熱を反射するアルミシートや発泡ポリエチレンを積層した構造とする。吸湿発熱素材または遠赤外線を発する繊維からなる布材を用いても良い。更に、前記不織布３を、吸湿発熱素材または遠赤外線を発する繊維により構成しても良い。
【００２０】
（実施の形態２）
図８は、この発明の実施の形態２にかかるジェルネイル除去シートの構造を示す断面図である。図９は、図８に示したジェルネイル除去シートの平面図である。このジェルネイル除去シート１１０は、表面に粘着層が設けられた略長方形のテープ７と、当該テープ７の中央部分に配置したアセトン入り袋８と、当該アセトン入り袋８を覆うように設けた平面状のコットン９とを備えた構造である。前記アセトン入り袋８は、予め表面に無数の細かな穴が設ける。アセトンは穴の部分における表面張力により袋の中にとどまる。
【００２１】
ジェルネイル除去シート１１０の使用方法は、次の通りである。まずジェルネイル除去シート１１０を上下反転させ、テープ７上のアセトン入り袋８とコットン９の重複部分１０が、ジェルネイルが施された爪に密着するようにして、当該テープ７を指に巻き付ける。そして、この状態でゆっくりとテープ７の上から爪表面に力を加える。この圧力により、アセトン入り袋８が潰され、内部のアセトンが袋表面の細かい穴からコットン９内部へと漏れ出す。
【００２２】
この状態で適当な時間放置することで、アセトンがコットン９を介して浸透してジェルネイルを溶解する。最後に、ジェルネイル除去シート１１０を爪上から剥離し、ネイルスティック等を用い自爪の表面から溶解されたジェルネイルを除去する。
【００２３】
以上、この発明のジェルネイル除去シート１１０によれば、ジェルネイルが施された爪の上にシール７を巻きつけて押さえるだけでジェルネイルを除去できるので、片手でも簡単に作業ができる。また、アセトン入り袋８にアセトンが含まれており、シール７を巻き付けるだけで良いので、ジェルネイルの除去の準備に手間がかからない。なお、吸水性が高い素材であれば、前記コットン９に代えて化学繊維からなる不織布または織布を用いても良い。
【００２４】
また、前記アセトン入り袋８およびコットン９に代えて、実施の形態１に記載の不織布３にゲル状アセトンを滲みこませたものを配置してもよい（図示省略）。
【００２５】
（実施の形態３）
図１０は、この発明の実施の形態３にかかるジェルネイル除去シートの構造を示す説明図である。図１１は、図１０に示したジェルネイル除去シートの使用方法を示す説明図である。ジェルネイル除去シート１２０は、Ｔ字型に切り取られたテープ１２７の中央部分に実施の形態１に係るジェルネイル除去シート１００のシートピース１００ａと略同じ構造のシートピース１２１を配置した構成である。但し、前記テープ１２７は、作用・機能上から前記基材シート１と同一視できるため、シートピース１００ａの基材シート１は必須ではない。
【００２６】
このジェルネイル除去シート１２０では、シートピース１２１をジェルネイルが施された爪と接着するように配置し、テープ１２７の指の先端側のテープ凸部１２７ａを指先に対して折り曲げ、両端にあるテープ帯部１２７ｂを指に巻きつけ固定する。そのまま適当な時間放置することにより、アセトンが浸透してジェルネイルが溶解する。最後に、ジェルネイル除去シート１２０を指から外してシートピース１２１を爪上から剥離し、ネイルスティック等を用い、爪の表面から溶解したジェルネイルを除去する。このジェルネイル除去シート１２０によっても、テープ１２７を巻きつけるだけで良いので、ジェルネイルの除去の準備に手間がかからない。
【００２７】
また、図１２（ａ）に示すように、上記テープ１２７のテープ凸部１２７ａにシートピース１２１を設けた構造でもよい。このジェルネイル除去シート１２５では、指先をテープ帯部１２７ｂの中央に置き、テープ凸部１２７ａを折り返して前記シートピース１２１が爪の表面に当接するようにすると共に、テープ帯部１２７ｂを指先に巻きつけて固定する。そのまま適当な時間放置することにより、アセトンが浸透してジェルネイルが溶解する。最後に、ジェルネイル除去シート１２５を指から外してシートピース１２１を爪上から剥離し、ネイルスティック等を用い、爪の表面から溶解したジェルネイルを除去する。
【００２８】
また、図１２（ｂ）に示すように、上記テープ１２７が帯状であり、その中央部分にシートピース１２１を設けた構造でもよい。このジェルネイル除去シート１２６では、指先の爪をシートピース１２１上に置き、テープ１２７を折り返して前記シートピース１２１が爪の表面に当接するように巻きつけて固定する。そのまま適当な時間放置することにより、アセトンが浸透してジェルネイルが溶解する。最後に、ジェルネイル除去シート１２６を指から外してシートピース１２１を爪上から剥離し、ネイルスティック等を用い、爪の表面から溶解したジェルネイルを除去する。
【００２９】
（実施の形態４）
図１３は、この発明の実施の形態４にかかるジェルネイル除去シートの構造を示す斜視図である。図１４は、図１３に示したジェルネイル除去シートの製造手順を示す説明図である。このジェルネイル除去シート１３０では、爪の大きさ程度にカットされた円盤状の基材シート１３１の上部に接着層１３２を介して不織布１３５を配置させる。そして、不織布１３５の中央部分１３５ａに、実施の形態１と同様のゲル状のアセトンを流し込む。これにより、不織布１３５は中央部分１３５ａにのみアセトンを保持した状態となる。その周囲１３５ｂは、不織布１３５のままである。また、不織布１３５の上面には、図示しない離型紙が被せられる。
【００３０】
このジェルネイル除去シート１３０の使用方法は、次の通りである。まず、離型紙を剥がしてジェルネイル除去シート１３０を上下反転させ、不織布１３５の中央部分１３５ａを、ジェルネイルが施された爪に載せる。ゲル状のアセトンが含まれた不織布１３５の表面は、ゲルによる粘着性があるため、爪上でそのまま保持される。この保持状態で適当な時間放置することで、アセトンがジェルネイルに浸透する。最後に、ジェルネイル除去シート１３０を爪上から剥離し、ネイルスティック等を用い自爪の表面から溶解されたジェルネイルをこそぎ取る。なお、ジェルネイル除去シート１３０は、図１３および図１４のように円盤状でなくとも、同様の大きさを有する他の形のものでもよい。
【００３１】
このジェルネイル除去シート１３０によれば、爪の上にゲルで粘着するだけでジェルネイルを除去できるので、片手でも簡単に作業ができる。また、既に不織布１３５にアセトンが滲みこんでおり、離型紙４から剥がすだけで使えるため、ジェルネイルの除去の準備に手間がかからない。更に、不織布１３５の中央部分１３５ａにアセトンを保持することから、その周囲１３５ｂを指でつまんでもアセトンが付着しない。また、中央部分１３５ａを押えても周囲１３５ｂで吸収されるので、アセトンが横から漏れ出ることがない。
【００３２】
図１５は、図１３に示したジェルネイル除去シートの保持方法の他の形態を示す正面図である。ジェルネイル除去シート１３０は、不織布１３５の側を矩形の透明樹脂からなる離型紙１３４ａの表面に５個貼り付けて保持される。また、図１６に示すように、ロール状の離型紙１３４ｂに対して５個のジェルネイル除去シート１３０からなる組を複数保持した構成としても良い。
【００３３】
（実施の形態５）
図１７は、この発明の実施の形態５にかかるジェルネイル除去シートを示す斜視図である。このジェルネイル除去シート１４０は、実施の形態１と同様の層構造を有するものであり、ゲル状のアセトンが浸透しない素材からなる基材シートと、基材シートの上面に配置した接着層と、接着層を介して前記基材シートに積層した不織布と、不織布に滲みこませたゲル状アセトンと、不織布に積層したアセトンの揮発を防止するための透明樹脂からなる離型紙とから構成される。
【００３４】
このジェルネイル除去シート１４０は、テープ状になっておりロール状に巻かれている。使用の際には、必要な分だけ鋏で切断し（例えば図中の切断線で切断し）、当該切断したシートピース１４１を前記離型紙を取り除いてから爪の上に載せ、ジェルネイルが施された爪の上でそのまま保持する。これにより、アセトンがジェルネイルに浸透するので、当該ジェルネイルを除去できるようになる。
【符号の説明】
【００３５】
１００  ジェルネイル除去シート
１  基材シート
２  接着層
３  不織布
４  離型紙
５  不織布
【図１】
2014200468.tif 000003
【図２】
2014200468.tif 000004
【図３】
2014200468.tif 000005
【図４】
2014200468.tif 000006
【図５】
2014200468.tif 000007
【図６】
2014200468.tif 000008
【図７】
2014200468.tif 000009
【図８】
2014200468.tif 000010
【図９】
2014200468.tif 000011
【図１０】
2014200468.tif 000012
【図１１】
2014200468.tif 000013
【図１２】
2014200468.tif 000014
【図１３】
2014200468.tif 000015
【図１４】
2014200468.tif 000016
【図１５】
2014200468.tif 000017
【図１６】
2014200468.tif 000018
【図１７】
2014200468.tif 000019